(57)【要約】【課題】  上下方向の長さが異なる複数種のドアに対しても使用できて汎用性が大であり、しかも構造が簡単で軽量な反り矯正装置を提供する。【解決手段】  上取付金具５と下取付金具６と上連結軸７と下連結軸８とを備え、上連結軸７又は下連結軸８の一方にねじ軸２１が具備されると共に、他方に調整ナット２４が具備されており、ねじ軸２１を上下方向の中途部で切断することによって下取付金具６と上取付金具５との上下方向の離間幅がドア３の上下方向の長さに適合するように調整可能に構成され、上連結軸７又は下連結軸８の一方は回動自在に支持され、他方は回動不能に支持され、ねじ軸２１が調整ナット２４に上下方向に出退自在に螺合され、上連結軸７の上端部又は下連結軸８の下端部に回動操作部３９が設けられている。【選択図】図１
0003183134.tif 000002
【実用新案登録請求の範囲】
【請求項１】
ドア（３）の上部に固定される上取付金具（５）と、ドア（３）の下部に固定される下取付金具（６）と、上取付金具（５）から下方突出された上連結軸（７）と、下取付金具（６）から上方突出された下連結軸（８）とを備え、上連結軸（７）又は下連結軸（８）の一方の少なくとも突出端部に上下方向のねじ軸（２１）が具備されると共に、他方の少なくとも突出端部に前記ねじ軸（２１）が螺合する上下方向の調整ナット（２４）が具備されており、
ねじ軸（２１）を上下方向の中途部で切断することによって下取付金具（６）と上取付金具（５）との上下方向の離間幅がドア（３）の上下方向の長さに適合するように調整可能に構成され、
上連結軸（７）又は下連結軸（８）の一方は対応する上取付金具（５）又は下取付金具（６）に対して軸心廻りに回動自在に支持されると共に、他方は対応する下取付金具（６）又は上取付金具（５）に対して軸心廻りに回動不能に支持され、上取付金具（５）と下取付金具（６）との上下方向の離間幅が変更するようにねじ軸（２１）が調整ナット（２４）に上下方向に出退自在に螺合されており、
回動自在に支持された上連結軸（７）の上端部又は回動自在に支持された下連結軸（８）の下端部に、回動操作するための工具が係脱自在に係合する回動操作部（３９）が設けられていることを特徴とする反り矯正装置。
【請求項２】
前記上連結軸（７）は、上下方向の全長に亘ってねじ軸（２１）により構成されていて、ねじ軸（２１）の上部が上取付金具（５）に軸心廻りに回動不能に連結固定され、
前記下連結軸（８）は、下側に頭部を有するボルト（２３）を備え、該ボルト（２３）のボルト軸（２３ｂ）の上部に前記調整ナット（２４）が上方突出状に螺合されてボルト軸（２３ｂ）に溶接され、ボルト（２３）のボルト軸（２３ｂ）が下取付金具（６）に軸心廻りに回動自在に挿通され、ボルト（２３）の頭部が下取付金具（６）から下方に突出されて前記回動操作部（３９）とされていることを特徴とする請求項１に記載の反り矯正装置。
【請求項３】
下取付金具（６）は、上板部（３３）と下板部（３４）とこれらを連結する連結板部（３５）とを一体に有する側面視コの字状に形成され、下取付金具（６）の上板部（３３）と下板部（３４）とに前記ボルト（２３）のボルト軸（２３ｂ）がその頭部を下板部（２７）の下面に当接又は近接させるべく上下方向に挿通され、ボルト軸（２３ｂ）に逆反り防止ナット（３７）が下板部（３４）の上面に当接又は近接するように螺合されてボルト軸（２３ｂ）に溶接されていることを特徴とする請求項２に記載の反り矯正装置。
【請求項４】
上取付金具（５）は、前板部（２６）と下板部（２７）とを側面視Ｌ字状に有し、ねじ軸（２１）の上部が下板部（２７）に上下方向に挿通され、ねじ軸（２１）の上部に固定用ナット（２９）が下板部（２７）の上面に当接するように螺合されてねじ軸（２１）と下板部（２７）とに溶接されていることを特徴とする請求項２又は３に記載の反り矯正装置。
【請求項５】
ドア（３）の上桟（１１）と最上段の中桟（１４）との間又はドア（３）の下桟（１２）と最下段の中桟（１４）との間に配置される補強部材（４１）が具備され、
補強部材（４１）は、平面視コの字状に形成されて、上連結軸（７）又は下連結軸（８）の左右両側を覆う左右一対の側壁部（４５）と上連結軸（７）又は下連結軸（８）の後方側を覆う後壁部（４６）とを有していることを特徴とする請求項１〜４のいずれかに記載の反り矯正装置。
【請求項６】
ドア（３）の複数の中桟（１４）の下面又は上面に配置される規制金具（４３）が具備
され、規制金具（４３）は、下連結軸（８）又は上連結軸（７）が上下方向に挿通される挿通孔（４７）を有すると共に、挿通孔（４７）を後方側に開放する連通孔（４８）を有しており、規制金具（４３）を中桟（１４）の下面又は上面に取り付けて挿通孔（４７）に下連結軸（８）又は上連結軸（７）を挿通させることにより、下連結軸（８）又は上連結軸（７）が中桟（１４）の前方側に突出するのを規制するように構成されていることを特徴とする請求項１〜５のいずれかに記載の反り矯正装置。
【請求項７】
前記回動操作部（３９）が六角状に形成されてインパクトドライバー（６８）の出力軸（６８ａ）が装着可能とされており、インパクトドライバー（６８）の駆動により下連結軸（８）を軸心廻りに回動してねじ軸（２１）を調整ナット（２４）に締め付けるようにしたことを特徴とする請求項１〜６のいずれかに記載の反り矯正装置。
【考案の詳細な説明】
【技術分野】
【０００１】
本考案は、建物のドア等に取り付けてその反りを矯正するために使用される反り矯正装置に関するものである。
【背景技術】
【０００２】
従来の反り矯正装置には、ドアの側部縦桟の上半部に取り付けられる上帯板と、側部縦桟の下半部に取り付けられる下帯板と、ドアの側部縦桟の上下方向の中間部に取り付けられる中間帯板とを備え、これら下帯板、上帯板及び中間帯板にはそれぞれ凸条部が突設され、中間帯板の凸条部に上下方向のねじ孔が形成され、上帯板の凸条部と下帯板の凸条部とに上下方向のボルト挿通孔が形成され、頭部を有する上ボルトが上帯板の凸条部に上側からボルト挿通孔を介して上下方向に軸心廻りに回転自在に挿通されて、上ボルトの下部が中間帯板の凸条部の上部に螺合され、頭部を有する下ボルトが下帯板の凸条部に下側からボルト挿通孔を介して軸心廻りに回転自在に挿通されて、下ボルトの上部が中間帯板の凸条部の下部に螺合されている。
【０００３】
また、側部縦桟に形成した凹溝に上帯板、下帯板及び中間帯板の凸条部を嵌め込み、上帯板と中間帯板との間に調整用隙間を形成すると共に、下帯板と中間帯板との間に調整用隙間を形成して、上帯板、下帯板及び中間帯板をドアの側部縦桟の上下方向の略全長に亘るように配置して固定している。
そして、上ボルトの頭部にボックスレンチを係合して上ボルトを回動操作して上ボルトを中間帯板の凸条部に締め付けると共に、下ボルトの頭部にボックスレンチを係合して下ボルトを回動操作して下ボルトを中間帯板の凸条部に締め付けることにより、ドアの反りを防止し、また、ドアが反った場合には、ボックスレンチを使用して上ボルト及び下ボルトを回動操作して中間帯板の凸条部に締め付けて反りを矯正するようにしていた。
【先行技術文献】
【特許文献】
【０００４】
【特許文献１】特開平１０−１２１８５８号公報
【考案の概要】
【考案が解決しようとする課題】
【０００５】
しかし、従来の場合、上ボルトのボルト軸はその略全長が上帯板の凸条部に挿通され、下ボルトのボルト軸はその略全長が下帯板の凸条部に挿通されていて、上帯板、下帯板及び中間帯板をドアの側部縦桟の長手方向の略全長に亘って配置して固定するようにしており、反り矯正装置を長さ調整するために下ボルト又は上ボルトの中途部を切断しても、上帯板又は下帯板を切断することは困難であり、このため、反り矯正装置をドアの上下方向の長さに対応するように長さ調整することができなかった。
【０００６】
従って、上帯板、下帯板及び中間帯板の合計の長さで反り矯正装置が取り付けられるドアの上下方向の長さが特定されてしまい、このため反り矯正装置のドアに対する汎用性が小さく、ドアの上下方向の長さに応じて反り矯正装置の長さを設定して、上下方向の長さが異なる複数種のドアに対してそれぞれ異なる長さの反り矯正装置を製造する必要があり、不経済であった。
【０００７】
また、上ボルト及び下ボルトの他に、それぞれ凸条部を有する上帯板、下帯板及び中間帯板がドアの上下方向の略全長に亘る長さだけ必要であり、反り矯正装置の構造が複雑で、反り矯正装置の重量も大きかった。
本考案は上記問題点に鑑み、上下方向の長さが異なる複数種のドアに対しても使用できて汎用性が大であり、しかも構造が簡単で軽量な反り矯正装置を提供することを目的としている。
【課題を解決するための手段】
【０００８】
本考案における課題解決のための具体的手段は、次の通りである。
この技術的課題を解決する本考案の技術的手段は、ドア３の上部に固定される上取付金具５と、ドア３の下部に固定される下取付金具６と、上取付金具５から下方突出された上連
結軸７と、下取付金具６から上方突出された下連結軸８とを備え、上連結軸７又は下連結軸８の一方の少なくとも突出端部に上下方向のねじ軸２１が具備されると共に、他方の少なくとも突出端部に前記ねじ軸２１が螺合する上下方向の調整ナット２４が具備されており、
ねじ軸２１を上下方向の中途部で切断することによって下取付金具６と上取付金具５との上下方向の離間幅がドア３の上下方向の長さに適合するように調整可能に構成され、
上連結軸７又は下連結軸８の一方は対応する上取付金具５又は下取付金具６に対して軸心廻りに回動自在に支持されると共に、他方は対応する下取付金具６又は上取付金具５に対して軸心廻りに回動不能に支持され、上取付金具５と下取付金具６との上下方向の離間幅が変更するようにねじ軸２１が調整ナット２４に上下方向に出退自在に螺合されており、
回動自在に支持された上連結軸７の上端部又は回動自在に支持された下連結軸８の下端部に、回動操作するための工具が係脱自在に係合する回動操作部３９が設けられている点にある。
【０００９】
また、本考案の他の技術的手段は、前記上連結軸７は、上下方向の全長に亘ってねじ軸２１により構成されていて、ねじ軸２１の上部が上取付金具５に軸心廻りに回動不能に連結固定され、
前記下連結軸８は、下側に頭部を有するボルト２３を備え、該ボルト２３のボルト軸２３ｂの上部に前記調整ナット２４が上方突出状に螺合されてボルト軸２３ｂに溶接され、ボルト２３のボルト軸２３ｂが下取付金具６に軸心廻りに回動自在に挿通され、ボルト２３の頭部が下取付金具６から下方に突出されて前記回動操作部３９とされている点にある。
【００１０】
また、本考案の他の技術的手段は、下取付金具６は、上板部３３と下板部３４とこれらを連結する連結板部３５とを一体に有する側面視コの字状に形成され、下取付金具６の上板部３３と下板部３４とに前記ボルト２３のボルト軸２３ｂがその頭部を下板部２７の下面に当接又は近接させるべく上下方向に挿通され、ボルト軸２３ｂに逆反り防止ナット３７が下板部３４の上面に当接又は近接するように螺合されてボルト軸２３ｂに溶接されている点にある。
【００１１】
また、本考案の他の技術的手段は、上取付金具５は、前板部２６と下板部２７とを側面視Ｌ字状に有し、ねじ軸２１の上部が下板部２７に上下方向に挿通され、ねじ軸２１の上部に固定用ナット２９が下板部２７の上面に当接するように螺合されてねじ軸２１と下板部２７とに溶接されている点にある。
また、本考案の他の技術的手段は、ドア３の上桟１１と最上段の中桟１４との間又はドア３の下桟１２と最下段の中桟１４との間に配置される補強部材４１が具備され、
補強部材４１は、平面視コの字状に形成されて、上連結軸７又は下連結軸８の左右両側を覆う左右一対の側壁部４５と上連結軸７又は下連結軸８の後方側を覆う後壁部４６とを有している点にある。
【００１２】
また、本考案の他の技術的手段は、ドア３の複数の中桟１４の下面又は上面に配置される規制金具４３が具備され、規制金具４３は、下連結軸８又は上連結軸７が上下方向に挿通される挿通孔４７を有すると共に、挿通孔４７を後方側に開放する連通孔４８を有しており、規制金具４３を中桟１４の下面又は上面に取り付けて挿通孔４７に下連結軸８又は上連結軸７を挿通させることにより、下連結軸８又は上連結軸７が中桟１４の前方側に突出するのを規制するように構成されている点にある。
【００１３】
また、本考案の他の技術的手段は、前記回動操作部３９が六角状に形成されてインパクトドライバー６８の出力軸６８ａが装着可能とされており、インパクトドライバー６８の駆動により下連結軸８を軸心廻りに回動してねじ軸２１を調整ナット２４に締め付けるようにした点にある。
【考案の効果】
【００１４】
本考案によれば、ねじ軸を上下方向の中途部で切断することによって、反り矯正装置の上下方向の長さをドアの上下方向の長さに適合するように調整することができ、反り矯正
装置のドアに対する汎用性が大きくなり、このため、同一の反り矯正装置を製造して、それらを長さの異なる複数種のドアに使用することができ、非常に経済的である。
また、従来のようにドアの上下方向の略全長亘るようにな凸条部を有する上帯板、下帯板及び中間帯板は必要でなくなり、上連結軸及び下連結軸の他にドアの上部又は下部に取り付けられる上取付金具と下取付金具とがあればよく、反り矯正装置全体の構成が簡単になり、製造容易でしかも反り矯正装置全体が軽量になる。
【図面の簡単な説明】
【００１５】
【図１】本考案の一実施形態を示す反り矯正装置の側面図である。
【図２】同反り矯正装置の正面図である。
【図３】反り矯正装置をドアに取り付けた状態の正面図である。
【図４】図３のＡ−Ａ線断面図である。
【図５】図３の拡大したＡ−Ａ線断面図である。
【図６】図３のＢ−Ｂ線断面図である。
【図７】図３のＣ−Ｃ線断面図である。
【図８】図３のＤ−Ｄ線断面図である。
【図９】図３のＥ−Ｅ線断面図である。
【図１０】ドアの反りを矯正する工程を示す側面断面図であり、（ａ）は矯正する前の状態で、（ｂ）は矯正する際の状態で、（ｃ）は矯正した後の状態である。
【考案を実施するための形態】
【００１６】
以下、本考案の実施の形態を図面に基づいて説明する。
図１〜図１０は本考案の一実施形態を示している。図１及び図２において、反り矯正装置１は、ドア３の上部に固定される上取付金具５と、ドア３の下部に固定される下取付金具６と、上取付金具５から下方突出された上連結軸７と、下取付金具６から上方突出された下連結軸８とを備えている。
【００１７】
ここで、反り矯正装置１が取り付けられるドア３は、建物の室外側と室内側とを開閉自在に仕切るための引き戸、開き戸、引き違い戸又は開閉扉等であって、例えば、図３〜図５に示すように、上桟１１と下桟１２と左右一対の側部縦桟１３とで日字形に組み立てられ、上桟１１と下桟１２との間に複数の中桟１４が上下方向に一定間隔をおいて配置され、各中桟１４は側部縦桟１３に連結固定されて、ドア枠が構成されている。ドア枠の表面側（室外側、前側）にベニヤ板、プリント合板等で構成した表面板１７が貼り付けられ、ドア枠の裏面側（室内側、後側）にベニヤ板、プリント合板等で構成した裏面板１８が貼り付けられるようになっている。
【００１８】
ドア３は、一般的に、室内のクーラー等の影響を受けて、図４に２点鎖線で示すように上下方向の中央部が室外側に向けて突出するように弓形に反る傾向がある。
図１〜図９において、前記上連結軸７は、上下方向の全長に亘ってねじ軸２１により構成されていて、ねじ軸２１の上部が上取付金具５に軸心廻りに回動不能に連結固定されている。
【００１９】
前記下連結軸８は、下側に頭部を有するボルト２３を備え、該ボルト２３のボルト軸２３ｂの上部に調整ナット２４が上方突出状に螺合されてボルト軸２３ｂに溶接され、ボルト２３のボルト軸２３ｂが下取付金具６に軸心廻りに回動自在に挿通されている。
図５に示すように、調整ナット２４は上下方向の長さＬ１が５０ｍｍ程度の六角形の筒状に形成され、調整ナット２４の下部にボルト２３の上部が螺合される螺合長さＬ２が１０ｍｍ程度に設定されている。また、後述の如く調整ナット２４の上部にねじ軸２１の下部を螺合する初期螺合長さＬ３が１５ｍｍ程度になるようにしており、従って、ドア３の反りを矯正するように調整ナット２４にねじ軸２１を締め付けるための調整長さＬ４が２５ｍｍ程度に設定されている。
【００２０】
上取付金具５は、ドア３の上桟１１の前面側に配置される前板部２６と上桟１１の下面側に配置される下板部２７とを側面視Ｌ字状に有している。ねじ軸２１の上部が下板部２７に上下方向に挿通され、ねじ軸２１の上部に固定用ナット２９が下板部２７の上面に当接するように螺合されてねじ軸２１と下板部２７とに溶接されている。従って、上連結軸
７（ねじ軸２１）は対応する上取付金具５に対して軸心廻りに回動不能に支持されている。
【００２１】
前板部２６に複数（図例では４つ）の取付孔３１が設けられ、下板部２７に複数（図例では２つ）の取付孔３１が設けられている。
下取付金具６は、上板部３３と下板部３４とこれらを連結する連結板部３５とを一体に有する側面視コの字状に形成され、下取付金具６の上板部３３と下板部３４とに前記ボルト２３のボルト軸２３ｂがその頭部を下板部３４の下面に当接又は近接させるべく上下方向に挿通され、ボルト軸２３ｂに逆反り防止ナット３７が下板部３４の上面に当接又は近接するように螺合されてボルト軸２３ｂに溶接されている。従って、下連結軸８は対応する下取付金具６に対して軸心廻りに回動自在に支持されている。
【００２２】
上板部３３に複数（図例では２つ）の取付孔３１が設けられ、下板部３４に複数（図例では２つ）の取付孔３１が設けられている。
上連結軸７のねじ軸２１の下部が調整ナット２４の上部に螺合されており、調整ナット２４を回動することによって、上取付金具５と下取付金具６との上下方向の離間幅が変更するようにねじ軸２１が調整ナット２４に上下方向に出退自在に螺合される。
【００２３】
また、上連結軸７のねじ軸２１は、上取付金具５から大きく下方に突出されて、その下部側が下連結軸８の上部にある調整ナット２４に螺合されるようにしているため、ねじ軸２１を上下方向の中途部で切断することによって下取付金具６と上取付金具５との上下方向の離間幅（反り矯正装置１の上下方向の長さ）がドア３の上下方向の長さに適合するように調整可能に構成されている。
【００２４】
ボルト２３の頭部が下取付金具６から下方に突出されて、回動操作するための六角レンチ等の工具が係脱自在に係合する回動操作部３９とされている。
前記回動操作部３９は六角状に形成されていて図１０に示すインパクトドライバー（インパクトレンチ、スクリュードライバー）６８の出力軸６８ａに装着可能とされており、インパクトドライバー６８の駆動により下連結軸８が軸心廻りに回動してねじ軸２１を調整ナット２４に締め付けることができるようにしている。
【００２５】
また、反り矯正装置１には、ドア３の上桟１１と最上段の中桟１４との間又はドア３の下桟１２と最下段の中桟１４との間に配置される複数（図例では２つ）の補強部材４１が具備されると共に、ドア３の複数の中桟１４の下面又は上面に配置される複数（図例では５つ）の規制金具４３が具備されている。
各補強部材４１は、平面視コの字状に形成されて、上連結軸７又は下連結軸８の左右両側を覆う左右一対の側壁部４５と上連結軸７又は下連結軸８の後方側を覆う後壁部４６とを有している。
【００２６】
各規制金具４３は、下連結軸８又は上連結軸７が上下方向に挿通される挿通孔４７を有すると共に、挿通孔４７を後方側に開放する連通孔４８を有しており、規制金具４３を中桟１４の下面又は上面に取り付けて挿通孔４７に下連結軸８又は上連結軸７を挿通させることにより、下連結軸８又は上連結軸７が中桟１４の前方側に突出するのを規制するように構成されている。規制金具４３に挿通孔４７の左右両側に取付孔３１が設けられている。
【００２７】
上記実施形態によれば、反り矯正装置１でドア３の反りを矯正できるようにするには、図３に示すように、反り矯正装置１をドア３の左右両側の表面側に左右一対取り付ければよい。
反り矯正装置１をドア３に取り付けには、ドア３の裏面側に裏面板１８を貼り付けると共にドア３の表面側に表面板１７を貼り付けていない状態で、例えば、図３〜図９に示すように、上桟１１の表面側に、上取付金具５の前板部２６が嵌合される前嵌合凹部５１と、ねじ軸２１の上部が収納保持される保持凹部５２とを形成すると共に、上桟１１の下面の表面側に上取付金具５の下板部２７が嵌合される下嵌合凹部５３を形成する。
【００２８】
また、下桟１２の表面側に、下取付金具６の連結板部３５が嵌合される前嵌合凹部５５と、ボルト２３の下部が収納保持される保持凹部５６とを形成すると共に、下桟１２の下面の表面側に、下取付金具６の下板部３４が嵌合されると共に回動操作部３９が収納保持
される下嵌合凹部５７を形成すると共に、下桟１２の上面の表面側に、下取付金具６の上板部３３が嵌合される上嵌合凹部５８を形成する。
【００２９】
また、複数の中桟１４の表面側に、上連結軸７のねじ軸２１又は下連結軸８のボルト２３のボルト軸２３ｂが上下貫通状に挿通される挿通凹部６０を形成する。
その後、ねじ軸２１の調整ナット２４への初期螺合長さＬ３が１５ｍｍ程度になるようにねじ軸２１の下部を調整ナット２４の上部に螺合して上連結軸７と下連結軸８とを連結した際に、上取付金具５と下取付金具６との上下方向の離間幅がドア３の上下方向の長さに適合するように、ねじ軸２１の中途部を切断する（例えば、図１に２点鎖線で示すようにねじ軸２１の下部を切断する）。
【００３０】
そして、ねじ軸２１の下部を調整ナット２４の上部に初期螺合長さＬ３が１５ｍｍ程度になるように螺合し、その後、上取付金具５の前板部２６を前嵌合凹部５１に嵌合すると共に、上取付金具５の下板部２７を下嵌合凹部５３に嵌合して、取付孔３１を利用して前板部２６をビス６２で上桟１１に締め付け固定すると共に、取付孔３１を利用して下板部２７をビス６２で上桟１１に締め付け固定して、上取付金具５を上桟１１の表面側に固定する。
【００３１】
また、下取付金具６の連結板部３５を前嵌合凹部５５に嵌合し、上板部３３を上嵌合凹部５８に嵌合し、下板部３４を下嵌合凹部５７に嵌合して、取付孔３１を利用して上板部３３をビス６２で下桟１２に締め付け固定すると共に取付孔３１を利用して下板部３４をビス６２で下桟１２に締め付け固定して、下取付金具６を下桟１２の表面側に固定する。
また、一方の補強部材４１を左右の側壁部４５で上連結軸７の左右両側を覆うと共に後壁部４６で上連結軸７の後方側を覆うようにドア３の上桟１１と最上段の中桟１４との間に配置固定し、他方の補強部材４１を左右の側壁部４５で下連結軸８の左右両側を覆うと共に後壁部４６で下連結軸８の後方側を覆うようにドア３の下桟１２と最下段の中桟１４との間に配置固定する。
【００３２】
また、規制金具４３の挿通孔４７に上連結軸７又は下連結軸８を挿通するように、複数の規制金具４３を中桟１４の上面又は下面に配置して、取付孔３１を利用して規制金具４３をビス６２でそれぞれ中桟１４に締め付け固定する。
最後に、ドア３のドア枠に表面板１７を貼り付ければよい。そして、場合によっては、六角レンチ等の工具又はインパクトドライバー６８の出力軸６８ａを回動操作部３９に係合して下連結軸８を回動操作してねじ軸２１をやや調整ナット２４に締め付けておけばよい。
【００３３】
これにより、左右の反り矯正装置１がドア３の表面側を上下方向に縮めるように作用するため、反り矯正装置１によってドア３が図４に２点差線で示すように弓形に反るのを効果的に防止できる。また、ボルト軸２３ｂに逆反り防止ナット３７が下板部３４の上面に当接又は近接するように螺合されてボルト軸２３ｂに溶接されているので、逆反り防止ナット３７によって下連結軸８が下取付金具６に対して下方に移動するのを防いで、ドア３がその上下方向の中央部が裏面側に向けて突出するように（図４に２点差線で示す弓形とは）逆方向に反るのを防止することができる。
【００３４】
そして、一定期間の使用によってドア３が図４に２点鎖線で示すように弓形に反ると、図１０（ａ）に示すように、載置台６４に毛布などの当て物６５をして、ドア３をその表面側を上にして水平に載置し、ドア３の中央部におもし６６を置いた後、図１０（ｂ）に示すように、回動操作部３９にインパクトドライバー６８の出力軸６８ａを装着し、インパクトドライバー６８の駆動により下連結軸８を軸心廻りに回動してねじ軸２１を調整ナット２４に締め付ければよく、弓形に反ったドア３の反りが図１０（ｃ）に示す如く簡単かつ確実に矯正される。
【００３５】
上記のようにドア３の反りを矯正する際等には、補強部材４１によって、上桟１１や下桟１２が下方又は上方に湾曲したりしないように突っ張って補強することができる。また、複数の規制金具４３によって、上連結軸７のねじ軸２１及び下連結軸８のボルト２３が中桟１４の挿通凹部６０から表面側に突出するのを規制することができる。
また、本実施形態では、ねじ軸２１を上下方向の中途部で切断することによって下取付
金具６と上取付金具５との上下方向の離間幅がドア３の上下方向の長さに適合するように調整可能に構成されているので、ねじ軸２１を上下方向の中途部で切断することによって、反り矯正装置１の上下方向の長さをドア３の上下方向の長さに適合するように調整することができ、反り矯正装置１のドア３に対する汎用性が大きくなり、このため、同一の反り矯正装置１を製造して、これらを長さの異なる複数種のドア３に使用することができ、非常に経済的である。
【００３６】
また、従来のようにドア３の上下方向の略全長に亘るような凸条部を有する上帯板、下帯板及び中間帯板は必要でなくなり、上連結軸７及び下連結軸８の他にドア３の上部又は下部に取り付けられる上取付金具５と下取付金具６とがあればよく、反り矯正装置１全体の構成が非常に簡単になり、反り矯正装置１が製造容易でかつ軽量になる。
なお、前記実施形態では、上連結軸７は、上下方向の全長に亘ってねじ軸２１により構成されていて、ねじ軸２１の上部が上取付金具５に軸心廻りに回動不能に連結固定され、下連結軸８は、下側に頭部を有するボルト２３を備え、該ボルト２３のボルト軸２３ｂの上部に調整ナット２４が上方突出状に螺合されてボルト軸２３ｂに溶接され、ボルト２３のボルト軸２３ｂが下取付金具６に軸心廻りに回動自在に挿通されているが、これに代え、上連結軸７を下端部のみにねじ軸２１を有するボルト２３等の軸部材で構成するようにしてもよい。また、下連結軸８をその上下方向の全長に亘って長い調整ナット２４で構成するようにしてもよい。また、上連結軸７を軸心廻りに回動自在に支持し、下連結軸８を軸心廻りに回動不能に支持するようにしてもよい。要するに、上連結軸７又は下連結軸８の一方の少なくとも突出端部に上下方向のねじ軸２１が具備されると共に、他方の少なくとも突出端部にねじ軸２１が螺合する上下方向の調整ナット２４が具備されていればよい。また、上連結軸７又は下連結軸８の一方は対応する上取付金具５又は下取付金具６に対して軸心廻りに回動自在に支持されると共に、他方は対応する下取付金具６又は上取付金具５に対して軸心廻りに回動不能に支持されていればよい。そして、上連結軸７を回動自在に支持した場合には、上連結軸７の上端部に、回動操作するための工具が係脱自在に係合する回動操作部３９を設ければよい。
【００３７】
また、前記実施形態では、反り矯正装置１をドア３の左右両側に上桟１１と複数の中桟１４と下桟１２とに跨るように左右一対取り付けるようにしているが、これに代え、左右一対の反り矯正装置１をドア３の左右の側部縦桟１３に沿うように取り付けるようにしてもよい。この場合には、側部縦桟１３の表面側に上連結軸７又は下連結軸８が挿通される凹溝を長手方向の略全長に亘って形成すればよく、上補強部材４１、下補強部材４１及び複数の規制金具４３は使用する必要がなくなる。さらに、反り矯正装置１をドア３の表面側の左右方向の中央部に１つだけ取り付けるようにしてもよい。
【００３８】
また、前記実施形態では、ドア３の反りを矯正する場合に、回動操作部３９にインパクトドライバー６８の出力軸６８ａを装着し、インパクトドライバー６８の駆動により下連結軸８を軸心廻りに回動してねじ軸２１を調整ナット２４に締め付けているが、これに代え、六角レンチ等の工具を回動操作部３９に係合し、この工具で下連結軸８を軸心廻りに回動してねじ軸２１を調整ナット２４に締め付けるようにしてもよいことは勿論である。
【００３９】
また、前記実施形態では、反り矯正装置１を建物のドア３に取り付けてその反りを矯正するようにしているが、本考案の反り矯正装置１は建物のドア３の他に、家具の扉や戸に使用してもよい。
【符号の説明】
【００４０】
１      反り矯正装置
２      ドア
５      上取付金具
６      下取付金具
７      上連結軸
８      下連結軸
２１    ねじ軸
２３    ボルト
２４    調整ナット
３３    上板部
３４    下板部
３５    連結板部
３７    逆反り防止ナット
３９    回動操作部
４１    補強部材
４３    規制金具
４５    側壁部
４６    後壁部
４７    挿通孔
４８    連通孔
６８    インパクトドライバー
６８ａ  出力軸
【図１】
0003183134.tif 000003
【図２】
0003183134.tif 000004
【図３】
0003183134.tif 000005
【図４】
0003183134.tif 000006
【図５】
0003183134.tif 000007
【図６】
0003183134.tif 000008
【図７】
0003183134.tif 000009
【図８】
0003183134.tif 000010
【図９】
0003183134.tif 000011
【図１０】
0003183134.tif 000012